(57)【要約】  【課題】容器本体の開口部を内蓋で密閉し揮散口付き外蓋で覆うタイプの容器であって、内蓋除去のために外蓋を取り外すことができ、且つ内蓋除去後は外蓋をロック状態とし得る薬剤容器を提供する。  【解決手段】容器本体１０は外周面に外面結合部１２を備え、内蓋３０は、容器本体の開口周縁部に係合し得る係合部３２と、該係合部から上方へ延びた厚肉部３７とを備え、外蓋２０は、装着時に内蓋の厚肉部３７に接触するフランジ部２３と、内周面に内面結合部２６を有した環状壁２５とを備え、外面結合部１２及び内面結合部２６は、外蓋２０を容器本体１０に被せて回転することによって結合する構造を有し、容器本体１０及び外蓋２０には、内蓋３０を外した状態で結合したときにラチェット係合する内部片１３及び外部片２７が設けられていることを特徴とするロック蓋付き薬剤容器。【選択図】図３
2010280394.tif 000002
【特許請求の範囲】
【請求項１】
収容部の上部に開口部を備えた容器本体と、該容器本体の開口部を密閉する内蓋と、該容器本体の上部に装着される外蓋とを備えたロック蓋付き薬剤容器であって、
前記容器本体は外周面に外面結合部を備え、
前記内蓋は、前記開口部を閉じる面部材と、前記容器本体における開口周縁部に上方から係合し得る係合部と、該係合部から上方へ延びた厚肉部とを備え、
前記外蓋は、揮散口を有した中央壁と、該中央壁の径方向外側に設けられ装着時に前記内蓋の厚肉部に接触するフランジ部と、該フランジ部の外周縁から垂下し内周面に内面結合部を有した環状壁とを備え、
前記外面結合部及び内面結合部は、前記外蓋を前記容器本体に被せた状態で周方向の一方向へ回転することによって係合する構造を有し、
前記容器本体の外周面及び前記外蓋の環状壁の内周面には、前記一方向への回転により係合し逆方向への回転を阻止するラチェット係合をなすように内部片及び外部片が各々設けられており、
前記内部片及び外部片は、前記内蓋を外した状態で前記容器本体と外蓋とを前記内面結合部２６及び外面結合部１２によって結合したときにラチェット係合する位置に設けられていることを特徴とするロック蓋付き薬剤容器。
【請求項２】
前記厚肉部が１〜５ｍｍの高さとされていることを特徴とする請求項１に記載のロック蓋付き薬剤容器。
【請求項３】
前記外面結合部及び内面結合部が、相互に螺合可能な雄ねじ及び雌ねじにより構成されていることを特徴とする請求項１または２に記載のロック蓋付き薬剤容器。
【請求項４】
前記外面結合部及び内面結合部が、曲折した係合溝と該係合溝に係合する係合突起とからなるバヨネット式結合構造をなし、前記係合溝は、軸方向溝と、その先端から延びる周方向溝と、該周方向溝の先端から同じ周方向へ下降しつつ延びる下方溝とを備え、該下方溝は、前記内蓋を外した状態で前記外蓋の内面結合部を前記容器本体の外面結合部に係合させるときに前記係合突起が該下方溝に進入する位置に設けられていることを特徴とする請求項１または２に記載のロック蓋付き薬剤容器。
【発明の詳細な説明】
【技術分野】
【０００１】
本発明は、使用時にロック状態とし得る蓋を備えたロック蓋付き薬剤容器に関する。
【背景技術】
【０００２】
芳香剤、消臭剤、脱臭剤等を収容した容器は、一般に、揮散口を備えた蓋体で容器本体の開口部を覆うようにして使用される。しかしながら、蓋体は通常着脱自在に設けられているため、子供や老人が誤って蓋体を取り外して、薬剤をこぼしたり食べてしまったりするという不測の事態を招くことがある。
【０００３】
これに対処すべく、容器本体の側壁に複数の凸部または凹部を設け、これに揮散口付きの蓋体を係止して内蓋とすることにより、容器本体から内蓋を外し難くした容器が提案されている（例えば、特許文献１）。この容器は、揮散口付きの内蓋を容器開口部より下に設け、容器開口部はアルミ箔等の気密シートで覆うことにより、使用前の薬剤の揮散を防止している。このように揮散口付き内蓋を容器本体内に収める形態とすると、容器開口部を気密シートで閉じ、該シートの保護等のために揮散口付きの外蓋をさらに被せるという３重構造となり、構造が複雑化し、製造に手間が掛かる。また、内蓋に揮散口を設けるため開口面積が限られ、薬剤によっては十分な揮散効果が得られない場合もある。
【０００４】
一方、容器本体の開口面を内蓋で気密に閉じ、上方から揮散口付きの外蓋を被せるタイプの薬剤容器が多数用いられている。この場合は、内蓋と外蓋との２重構造で済み、構造が簡単で製造が容易である。また、揮散口の開口面積も大きく取りやすい。この場合にも、取り外しに伴う上記問題を解決するために、外蓋を取り外し難くするのが望ましい。例えば特許文献２に記載された芳香剤容器は、カバー（蓋体）の嵌合内周面に内方へ突出した爪部を設け、容器本体の嵌合外周面に周方向に傾斜した面を設け、傾斜面の上部に凹部を形成し、傾斜面の途中に複数の突起状係合部を設けた構造を有している。この容器は、カバーを容器本体に装着する際、カバーを周方向に回転させると、爪部が傾斜面に乗り上げて凹部に係合し、その状態を保持する。また、容器本体が内容物に含まれる有機溶剤で膨潤したときは、傾斜面の途中にある係合部に爪部が係合しその状態を保持する。
【０００５】
しかしながら、この芳香剤容器は、使用開始時に一旦カバーを外して容器本体の口部からキャップを取り外し、その後再びカバーを装着して使用する。したがって、爪部と凹部または係合部との係合は、ユーザによって解除できる程度に保持されるに過ぎない。この構図においては、依然として、子供や老人が誤って蓋体を取り外して、不測の事態を招く畏れがある。
【先行技術文献】
【特許文献】
【０００６】
【特許文献１】特開２００２−１７３１８６号公報
【特許文献２】特開平１１−２６２５１８号公報
【発明の概要】
【発明が解決しようとする課題】
【０００７】
本発明は、上記従来技術の問題を解決し、容器本体の開口部を内蓋で密閉し揮散口付き外蓋で覆うタイプの容器であって、内蓋除去のために外蓋を取り外すことができ、且つ内蓋除去後は外蓋をロック状態とし得る薬剤容器を提供することを目的とする。
【課題を解決するための手段】
【０００８】
本発明は、前記目的を達成するため、収容部の上部に開口部を備えた容器本体と、該容器本体の開口部を密閉する内蓋と、該容器本体の上部に装着される外蓋とを備えたロック蓋付き薬剤容器であって、前記容器本体は外周面に外面結合部を備え、前記内蓋は、前記開口部を閉じる面部材と、前記容器本体における開口周縁部に上方から係合し得る係合部と、該係合部から上方へ延びた厚肉部とを備え、前記外蓋は、揮散口を有した中央壁と、該中央壁の径方向外側に設けられ装着時に前記内蓋の厚肉部に接触するフランジ部と、該フランジ部の外周縁から垂下し内周面に内面結合部を有した環状壁とを備え、前記外面結合部及び内面結合部は、前記外蓋を前記容器本体に被せた状態で周方向の一方向へ回転することによって係合する構造を有し、前記容器本体の外周面及び前記外蓋の環状壁の内周面には、前記一方向への回転により係合し逆方向への回転を阻止するラチェット係合をなすように内部片及び外部片が各々設けられており、前記内部片及び外部片は、前記内蓋を外した状態で前記容器本体と外蓋とを前記内面結合部２６及び外面結合部１２によって結合したときにラチェット係合する位置に設けられていることを特徴とするロック蓋付き薬剤容器を提供するものである。
【発明の効果】
【０００９】
本発明に係るロック蓋付き薬剤容器は、上記構成を備えているので、容器本体の開口周縁部に内蓋の係合部を係合させることにより、該係合部と面部材とで開口部を密閉することができる。そして、容器本体の外面結合部に外蓋の内面結合部を係合させることにより、外蓋を容器本体に装着することができる。このとき、外蓋は、フランジ部が内蓋の厚肉部に当接してそれ以上の下降が阻止されるので、容器本体及び外蓋の内部片及び外部片によるラチェット係合は生じない。したがって、容器の使用開始時には、外蓋を取り外し、内蓋を除去して密閉を解くことができる。
【００１０】
そして、内蓋除去後に再び外蓋を容器本体に装着することにより、揮散口を通じて薬剤成分の揮散が可能となる。この装着の際、外蓋は内蓋の厚肉部に邪魔されることなく下降させることができる。これにより、容器本体及び外蓋の各々に設けられた内部片及び外部片によるラチェット係合が可能となり、容器本体に対する外蓋の回転によりラチェット係合が生じる。これにより、外蓋は逆方向に回転できなくなる。したがって、使用開始後は、外蓋を誤って取り外すのが防止され、薬剤をこぼしたり食べてしまったりするという不足の事態が防止される。
【図面の簡単な説明】
【００１１】
【図１】本発明の一実施形態に係る容器の平面図である。
【図２】図１に示した容器の正面図である。
【図３】図１に示した容器の断面図であり、(a) は全体の縦断面、(b) はその一部の拡大断面を示す。
【図４】図１に示した容器を分解して示す縦断面図である。
【図５】図１に示した容器の容器本体を示す図であり、(a) 上方から見た斜視図、(b) はその一部を拡大して示す横断面図である。
【図６】図１に示した容器の外蓋を示す図であり、(a) 下方から見た斜視図、(b) はその一部を上方から見た状態を示す拡大横断面図である。
【図７】図１に示した容器の内蓋を下方から見た斜視図である。
【図８】図１に示した容器から内蓋を除去した後の外蓋装着状態を示す図であり、(a) は容器全体の縦断面図、(b) はその一部の横断面図である。
【図９】本発明の他の実施形態に係る容器を分解して示す縦断面図である。
【発明を実施するための形態】
【００１２】
以下、本発明の実施形態について添付図面を参照しつつ説明する。図面中の同一又は同種の部分については、同じ番号を付して説明を一部省略する。
【００１３】
図１〜図３は、本発明の一実施形態に係る容器を示しており、図１は平面図、図２は正面図、図３(a) は縦断正面図である。
【００１４】
この容器は、芳香剤を収容し使用時に芳香成分を揮散させるものであり、これらの図は、容器本体１０に外蓋２０を被せた状態を示している。図４は容器を分解して示す縦断面図であり、容器本体１０と外蓋２０とが分離され、内蓋３０が容器本体１０から取り出された状態が示されている。また、図５(a)、図６(a) 及び図７は、各々、容器本体１０を上方から見た斜視図、外蓋２０を下方から見た斜視図、内蓋３０を下方から見た斜視図である。
【００１５】
容器本体１０は、下端が閉じられた円筒状をなし、上部に開口部１１を備えている。容器本体１０における開口部１１付近の外周面には雄ねじが設けられ、該雄ねじは外蓋２０との係合のための外面結合部１２を形成している。外面結合部１２のすぐ下方には、以下に説明するラチェット係合をなすための内部片１３が設けられている。内部片１３は、この実施形態においては周方向に等間隔をなす４箇所に設けられており、図には２箇所が表れている。尤も、この数及び配置はこれに限定されるものではない。さらに、内部片１３のすぐ下方には、円形に突出した突縁１４が設けられている。容器本体１０には、多数の粒状ゲルの薬剤Ｐが収容されている。
【００１６】
外蓋２０は、揮散口２２を有した中央壁２１と、該中央壁から径方向外側へ延びたフランジ部２３と、該フランジ部の外周縁から垂下した環状壁２５とを備えている。環状壁２５は短筒状をなし、その内面の上部には、容器本体１０の外面結合部１２である雄ねじと螺合する雌ねじが設けられ、該雌ねじは内面結合部２６を形成している。内面結合部２６のすぐ下方には、容器本体１０の内部片１３にラチェット係合するための外部片２７が多数設けられている。また、フランジ部２３の内周縁から環状の補助壁２４が垂下している。揮散口２２は、手指が入らない程度の大きさの多数の小孔によって形成され、デザイン性をもつ規則的な配置とされている。これらの小孔の形状及び配置は他のもの等適宜決めることができる。
【００１７】
内蓋３０は、容器本体１０の開口部１１を閉じる面部材３１と、容器本体における開口周縁部に上方から係合し得る係合部３２とを備えている。係合部３２は、容器本体１０における開口周縁部の内面１５及び外面１６に各々嵌合し得る内端壁３５及び外端壁３６と、これら内端壁及び外端壁の上端を結合し上方へ延びた厚肉部３７とを備え、断面は逆Ｕ字状をなしている。内蓋３０はさらに、容器本体１０から取り外す際に指を掛けるための引っ張りリング３８を備えている。引っ張りリング３８は、脚部３９を介して面部材３１に結合されている。
【００１８】
この実施形態では、内蓋３０と容器本体１０との係合状態を確実に保持するための構造が設けられている。すなわち、図３(b) に示すように、容器本体１０には、外面１６の先端部に環状の凸部１６１を形成するように浅い溝１６２が設けられ、内蓋３０には、外端壁３６の内面にも先端部に環状の凸部３６１を形成するように浅い溝３６２が設けられている。そして、内蓋３０を容器本体１０に装着するときには、容器本体１０の溝１６２及び内蓋３０の溝３６２に、内蓋３０の凸部３６１及び容器本体１０の凸部１６１が各々係合することにより、係合状態が確実に保持される。この係合は両部材の弾性変形に基づいて行なわれるので、引っ張りリング３８を引っ張ることにより、係合を解いて内蓋３０を取り外すことができる。
【００１９】
容器本体１０に対して内蓋３０及び外蓋２０を装着した場合には、次のように各部が位置する。内蓋３０を容器本体１０に嵌合すると、係合部３２の内端壁３５及び外端壁３６が、容器本体１０の開口周縁部の内面１５及び外面１６に各々嵌合し、厚肉部３７の下面が容器本体１０の環状の上端面１７に当接する。その上から外蓋２０を被せ、内面結合部２６の雌ねじを容器本体１０の外面結合部１２の雄ねじに螺合して行くと、容器本体１０に対して外蓋２０が下降して行き、フランジ部２３の下面が内蓋３０の厚肉部３７の上面に当接して下降が停止する。したがって、フランジ部２３の下面を厚肉部３７の上面に当接させた状態で、外面結合部１２及び内面結合部２６の雌ねじ及び雄ねじを緊く螺合させることにより、堅固な締結が得られる。この状態において、外蓋２０の外部片２７は、容器本体１０の内部片１３より高い位置にあり、係合していない。外蓋２０の補助壁２４は、内蓋３０の内端壁３５を内側から押圧して容器本体１０の開口周縁部に押し付けており、内蓋３０の密閉性を高めている。なお、内蓋３０の密閉性が十分に確保される場合は、補助壁２４を省略することもできる。
【００２０】
容器に薬剤が収容され芳香（または消臭、脱臭）器具として流通、販売される際には、薬剤を容器本体１０に収容した状態で内蓋３０及び外蓋２０が装着される。薬剤は、容器からのこぼれ防止の点から一体の塊状または多数の粒状のゲルとするのが望ましいが、液状または粘性のある流動状、或いは粉体とすることもできる。容器本体１０の開口部１１は内蓋３０により密閉されるので、容器内の薬剤は使用時まで容器外へ揮散するのが防止される。
【００２１】
薬剤を収容した容器は、使用開始時に次のように操作される。まず、外蓋２０を装着時とは反対方向に回転して、内面結合部２６の雌ねじと容器本体１０の外面結合部１２の雄ねじとの螺合を解き、容器本体１０から取り外す。次に引っ張りリング３８を引っ張ることにより、内蓋３０を容器本体１０から除去する。そして、再び外蓋２０を装着方向に回転して、内面結合部２６の雌ねじを容器本体１０の外面結合部１２の雄ねじに螺合して行く。このとき、内蓋３０が除去されているので、外蓋２０フランジ部２３は、内蓋３０の厚肉部３７に邪魔されることなく、容器本体１０の上端面１７に当接するまで下降する。この状態を図８(a) に示す。
【００２２】
容器本体１０の外部片２７と外蓋２０の内部片１３とは、外蓋２０が下降してフランジ部２３が厚肉部３７に当接していた位置より低くなったときに、相互に近い高さの部分から係合し始め、フランジ部２３が容器本体１０の上端面１７に当接するまで下降したときに、全体またはほぼ全体が係合するように配置されている。
【００２３】
内部片１３及び外部片２７の形状は、次のように決められている。すなわち、容器本体１０の内部片１３は、図５(a), (b) に示すように、外蓋２０が装着時に回転させられる方向Ｒｇに凸形状の高さ（径方向寸法）が増す傾斜面１３１と、該傾斜面１３１の先端から容器本体１０の外周面にほぼ垂直（径方向）に延びる起立面１３２とを備えた形状となっている。また、外部片２７は、図６(a), (b) に示すように、外蓋２０の環状壁２５の内面から径方向内側へ突出するように延びた舌片によって形成されており、該舌片は、外蓋２０が容器本体１０に対して装着時に回転させられる方向Ｒｇに突出高さが低くなるように傾斜し、低い方の端部が環状壁２５内面に結合され、高い方の端部は自由端となっている。なお、図６(b) は、外蓋２０の環状壁２５の水平断面を上から見た状態を示している。
【００２４】
したがって、内部片１３と外部片２７とが係合し得る状態で、容器本体１０に対して外蓋２０を装着方向へ回転すると、内部片１３の傾斜面１３１に接触した外部片２７が傾斜角を小さくするように撓み内部片１３がこれを乗り越えることができ、回転の継続が可能となる。一方、容器本体１０に対して外蓋２０を逆方向へ回転すると、内部片１３の起立面１３２に外部片２７の先端部が当接することとなる。この当接状態で回転力を付与しても、外部片２７の傾斜角を小さくする方向には力が作用しない。したがって、当接状態からさらなる回転をさせようとしても阻止される。こうして、一方向へのみ回転でき、逆方向への回転が阻止されるラチェット係合が得られる。
【００２５】
容器本体１０の外部片２７と外蓋２０の内部片１３とは、以上のように形成されているので、内蓋３０除去状態で容器本体１０に対して外蓋２０を装着方向へ回転して行くと、外部片２７と内部片１３との係合がし始めた状態で、ラチェット係合により逆方向への回転が抑止され、全高またはほぼ全高或いはこれに近い十分な高さで両者が係合することにより、逆方向への回転が確実に阻止されたロック状態となる。
【００２６】
このように、内蓋３０除去後に外部片２７と内部片１３との係合によるロック状態を確実に得るためには、厚肉部３７の高さｈは、１〜５ｍｍとするのが望ましく、この実施形態では３ｍｍとされている。この高さが上記下限より低いと外部片２７と内部片１３との係合量が少なくなり、回転の阻止力が十分に得られない場合がある。また、この高さが上記上限より高いと、内蓋３０除去後に外蓋２０を装着する際の下降量が大きくなり、操作をし難くなる。この観点から、厚肉部３７の高さｈは、２〜４ｍｍとするのがより望ましい。
【００２７】
したがって、この容器によれば、使用開始時に、外蓋２０を取り外し容器本体１０から内蓋３０を除去した後、外蓋２０を容器本体１０に被せ、装着方向に回転し、内部片１３と外部片２７とを係合させると、外蓋２０を容器本体１０から取り外すことができなくなる。その結果、誤って外蓋２０を取り外して、収容されている薬剤をこぼしたり誤食したりするという畏れがなくなるという効果が得られる。また、外蓋は緩み方向への回転が阻止されるので、自動車の中等、振動を受ける場所での使用時にも、容器本体に対する外蓋の外れが確実に防止されるという効果も得られる。
【００２８】
容器本体の外面結合部及び外蓋の内面結合部は、外蓋を容器本体に被せた状態で周方向の一方向へ回転することによって係合する種々の構造とすることができる。図９は、他の結合構造を備えた容器の例を分解して示す図である。図は、容器本体１０、内蓋３０及び外蓋２０を示しており、外蓋２０のみを断面で示している。この実施形態においては、容器本体１０の外面結合部１２ａ及び外蓋２０の内面結合部２６ａの形態が先の実施形態のものと異なっており、他の構造は先の実施形態と同じである。
【００２９】
外面結合部１２ａは、容器本体１０の外周面に形成された係合溝１２０として形成されている。係合溝１２０は、容器本体１０の上端から中心軸線の方向に延びる軸方向溝１２１と、その下端から容器本体１０の周方向に延びる周方向溝１２２と、該周方向溝の先端から同じ周方向の向きへ下降しつつ延びる下方溝１２３とを備えている。内面結合部２６ａは、外蓋２０の環状壁２５の内面に設けられた係合突部２６１により形成されている。
【００３０】
係合溝１２０と係合突部２６１は、次のように設けられてバヨネット式結合をなす。容器本体１０に内蓋３０が装着された状態では、外蓋２０を容器本体１０に被せて下降させる際に係合突部２６１は軸方向溝１２１に進入し、その状態から外蓋２０を一方へ回転すると係合突部２６１は周方向溝１２２に進入する。この場合、周方向溝１２２の幅を係合突部２６１を密に受け入れる寸法とすることにより、係合突部２６１は周方向溝１２２から容易に抜け出せなくなるので、外蓋２０を容器本体１０に対して堅固に締結することができる。
【００３１】
一方、容器本体１０から内蓋３０が除去された状態では、外蓋２０を容器本体１０に被せて係合突部２６１を軸方向溝１２１に進入させ、外蓋２０を回転して係合突部２６１を周方向溝１２２に進入させ、さらに外蓋２０を同じ方向へ回転させると、係合突部２６１は外蓋２０の下降を伴って下方溝１２３へと進入する。下方溝１２３への進入は、外蓋２０が内蓋３０の厚肉部３７に邪魔されることなく下降することにより可能となる。外蓋２０のこの下降によって、容器本体１０の内部片１３と外蓋２０の外部片２７とは係合可能な高さとなると共に、外蓋２０の周方向への回転で相互に係合する。こうしてラチェット係合が生じ、先の実施形態と同様に逆方向へ回転が阻止される。その結果、外蓋２０を誤って取り外すのが防止される。なお、下方溝１２３は、外蓋２０の周方向への回転範囲を確保するために、図９に一点鎖線で示すように、斜めに下降する前段溝１２４と、その後、水平に延びる後段溝１２５により形成してもよい。
【００３２】
以上、本発明の一実施形態について説明したが、本発明はこれに限定されるものではなく、その趣旨を逸脱しない限りにおいて種々の変更が可能である。例えば、図１〜図８に示した実施形態においては、ラチェット係合構造の配置を逆にして、内部片１３を外蓋２０、外部片２７を容器本体１０に設けることも可能である。また、これらの双方を混合させて各々を外蓋２０と容器本体１０とに設けてもよい。
【００３３】
図９に示した実施形態においては、バヨネット式結合構造の配置を逆にして、係合溝１２０を外蓋２０、係合突部２６１を容器本体１０に設けることも可能である。また、これらの双方を混合させて各々を外蓋２０と容器本体１０とに設けてもよい。
【符号の説明】
【００３４】
１０    容器本体
１１    開口部
１２，１２ａ    外面結合部
１３    凸部
２０    外蓋
２１    中央壁
２２    揮散口
２３    フランジ部
２５    環状壁
２６，２６ａ    内面結合部
２７    突起
３０    内蓋
３１    面部材
３２    係合部
３５    内端壁
３６    外端壁
３７    厚肉部
１２０    係合溝
１２１    軸方向溝
１２２    周方向溝
１２３    下方溝
２６１    係合突部
【図１】
2010280394.tif 000003
【図２】
2010280394.tif 000004
【図３】
2010280394.tif 000005
【図４】
2010280394.tif 000006
【図５】
2010280394.tif 000007
【図６】
2010280394.tif 000008
【図７】
2010280394.tif 000009
【図８】
2010280394.tif 000010
【図９】
2010280394.tif 000011